(57)【要約】【課題】記録された媒体を破棄する必要が生じた場合を考慮した記録装置を提供すること。【解決手段】記録装置（１）は、媒体（Ｒ）を送り方向Ｙへ送る送り手段３と、該送り手段によって送られる媒体に対して記録可能な記録部９と、前記送り手段によって送られる媒体を切ることが可能なカッター部８と、を備え、記録を実行せずに、前記送り手段３によって送られる一の媒体（Ｓ）を、前記カッター部８によって複数の短冊形Ｔに切るモードを有する構成であることを特徴とする。【選択図】図２
2012240365.tif 000002
【特許請求の範囲】
【請求項１】
媒体を送り方向へ送る送り手段と、
該送り手段によって送られる媒体に対して記録可能な記録部と、
前記送り手段によって送られる媒体を切ることが可能なカッター部と、を備え、
記録を実行せずに、前記送り手段によって送られる一の媒体を、前記カッター部によって複数の短冊形に切るモードを有する構成である記録装置。
【請求項２】
請求項１に記載の記録装置において、前記短冊形におけるいずれかの一辺は、２４０ｍｍ以下であることを特徴とする記録装置。
【請求項３】
請求項１または２に記載の記録装置において、前記モードの送り方向における前記カッター部より下流側には、前記短冊形に切られた媒体が落下する経路の入り口が設けられていることを特徴とする記録装置。
【請求項４】
請求項３に記載の記録装置において、前記落下する経路の入り口は、前記カッター部と前記記録部との間にあることを特徴とする記録装置。
【請求項５】
請求項１から４のいずれか１項に記載の記録装置において、前記カッター部は、媒体を切った際の切断線が直線となる第１カッターと、切断線がジグザグ状となる第２カッターとを有しており、
前記モードでは、前記第２カッターを用いて媒体を切る構成である記録装置。
【発明の詳細な説明】
【技術分野】
【０００１】
本発明は、送り手段と、記録部と、カッターとを備えた記録装置に関する。  
本願において、記録装置には、インクジェットプリンター、ワイヤドットプリンター、レーザープリンター、ラインプリンター、複写機、ファクシミリ等の種類が含まれるものとする。
【背景技術】
【０００２】
従来では、特許文献１に示す如く、プリンターは、送り手段と、記録部と、カッターとを備えていた。このうち、前記送り手段は、巻かれているロール紙を解いて送り方向下流側の前記記録部へ送ることができるように設けられていた。また、前記記録部は、送られたロール紙に対してインクを吐出して記録することができるように設けられていた。またさらに、前記カッターは、ロール紙における記録された箇所の後端近傍を切断することができるように構成されていた。
【先行技術文献】
【特許文献】
【０００３】
【特許文献１】特開２０１０−１４９２４２号公報
【発明の概要】
【発明が解決しようとする課題】
【０００４】
しかしながら、記録後において大判サイズに切断されたものをユーザーが確認した際、記録品質が所望の品質に達していない場合がある。係る場合、不完全に記録された大判サイズの用紙を、ユーザーは手で適当な大きさに切ってシュレッダーに投入して廃棄していた。つまり、不完全に記録された大判サイズの用紙を廃棄するためにわざわざ手で切るという手間があり、ユーザーの負担が大きかった。
【０００５】
本発明は、このような状況に鑑み成されたものであり、その課題は、記録された媒体を破棄する必要が生じた場合を考慮した記録装置を提供することである。
【課題を解決するための手段】
【０００６】
上記課題を達成するため、本発明の第１の態様の記録装置は、媒体を送り方向へ送る送り手段と、該送り手段によって送られる媒体に対して記録可能な記録部と、前記送り手段によって送られる媒体を切ることが可能なカッター部と、を備え、記録を実行せずに、前記送り手段によって送られる一の媒体を、前記カッター部によって複数の短冊形に切るモードを有する構成であることを特徴とする。
【０００７】
本態様によれば、シュレッダーに入れにくい大きな媒体を、前記モードによって、シュレッダーに入れやすい適度な大きさに切ることができる。これは、記録装置のカッター部を本来の「記録時に記録した範囲に合わせて切る」目的以外のことに使用することである。つまり、前記記録装置を記録すること以外の用途に使用することができる。その結果、媒体を廃棄することとなった場合、ユーザー自ら手で廃棄対象の媒体を切る手間を無くすことができる。つまり、前記モードによって適度な大きさに切られた媒体をそのままシュレッダーに投入するだけでよい。  
また、ある程度細かく切断することによって、前記モードによって、前記記録装置がシュレッダーの役割を果たすことも可能である。
【０００８】
本発明の第２の態様は、第１の態様において、前記短冊形におけるいずれかの一辺は、２４０ｍｍ以下であることを特徴とする。  
本態様によれば、第１の態様と同様の作用効果に加え、通常のＡ４サイズに対応したシュレッダーにそのまま投入することができる。  
ここで、通常、シュレッダーは幅２１０ｍｍのＡ４サイズに対応するべく、投入口の幅が２４０ｍｍとなっている。  
従って、通常のシュレッダーに対して、前記モードで切った媒体をそのまま入れて細かくすることができる。つまり、前記モードで切った媒体を、手でさらに細かく切る必要がない。また、前記モードで切った媒体を、手でさらに小さくなるように折り畳む必要もない。
【０００９】
本発明の第３の態様は、第１または第２の態様において、前記モードの送り方向における前記カッター部より下流側には、前記短冊形に切られた媒体が落下する経路の入り口が設けられていることを特徴とする。  
本態様によれば、第１または第２の態様と同様の作用効果に加え、前記モードにおいて前記切られた媒体がそのまま落下するので、前記切られた媒体が、通常の記録時に用いられる送り経路において詰まる虞がない。  
また、前記切られた媒体が落下する専用の経路を設けることにより、前記切られた媒体がそのままシュレッダーに投入されるように構成することが可能である。
【００１０】
本発明の第４の態様は、第３の態様において、前記落下する経路の入り口は、前記カッター部と前記記録部との間にあることを特徴とする。  
本態様によれば、第３の態様と同様の作用効果に加え、前記記録部は、前記モードにおいて、媒体が切られた際に発生する粉塵（媒体が紙である場合は紙粉）の影響を受けにくいので有効である。
【００１１】
本発明の第５の態様は、第１から第４のいずれか一の態様において、前記カッター部は、媒体を切った際の切断線が直線となる第１カッターと、切断線がジグザグ状となる第２カッターとを有しており、前記モードでは、前記第２カッターを用いて媒体を切る構成であることを特徴とする。  
本態様によれば、第１から第４のいずれか一の態様と同様の作用効果に加え、前記モードにおいて切られた媒体を、仮に第三者が繋ぎ合わせようとした場合であっても、繋ぎ合わせることを非常に困難にすることができ有効である。  
また、前記モードで媒体を切った場合であっても、通常の記録モードで使用される前記第１カッターの切れ味が落ちる虞がない。
【図面の簡単な説明】
【００１２】
【図１】本実施例の通常の記録モードにおけるプリンターの概略を示す側面図。
【図２】本実施例の廃棄モードにおけるプリンターの概略を示す側面図。
【図３】本実施例の廃棄モードにおける切断の様子を示す概略平面図。
【図４】他の実施例１の切断の様子を示す概略平面図。
【図５】（Ａ）（Ｂ）は他の実施例２のカッター部のカッターを示す概略斜視図。
【発明を実施するための形態】
【００１３】
以下、本発明の実施の形態を図面に基づいて説明する。  
図１に示すのは、本実施例のプリンター１の概略を示す側面図である。  
図１に示す如く、本実施例の記録装置の一例であるプリンター１は、ロールホルダー２と、カッター部８と、記録部９と、送り手段３と、媒体検出手段１６と、制御部１８とを備えている。  
このうち、ロールホルダー２は、ロール媒体Ｒを回動可能に保持することができるように設けられている。また、ロールホルダー２は、図示しないモーターの動力によって巻かれているロール媒体Ｒを解いたり、解かれているロール媒体Ｒを巻き取ったりすることができるように構成されている。
【００１４】
また、カッター部８は、ロール媒体Ｒを切断することができるように設けられている。具体的には、図示しないモーターの動力によってロール媒体Ｒの送り方向Ｙに対する幅方向Ｘに移動しながら、ロール媒体Ｒを切断することができるように構成されている。  
またさらに、記録部９は、ロール媒体Ｒに対して記録を実行することができるように設けられている。具体的に、記録部９は、キャリッジ１０と、記録ヘッド１１と、第１媒体支持部１２と、第２媒体支持部１３とを有している。
【００１５】
このうち、キャリッジ１０は、図示しないガイド部材にガイドされながら図示しないモーターの動力によってロール媒体Ｒの幅方向Ｘに移動可能に設けられている。また、記録ヘッド１１は、キャリッジ１０におけるロール媒体Ｒと対向する側に設けられている。そして、インクを吐出することにより、ロール媒体Ｒに記録を実行するように構成されている。
【００１６】
またさらに、第１媒体支持部１２は、記録ヘッド１１と対向する範囲に設けられ、ロール媒体Ｒを支持することができるように構成されている。これにより、ロール媒体Ｒと記録ヘッド１１との間の距離を所定の距離にすることができる。また、第２媒体支持部１３は、通常の記録時における送り方向Ｙにおいて、第１媒体支持部１２より下流側に設けられており、第１媒体支持部１２と同様、ロール媒体Ｒを支持することができるように構成されている。  
尚、第２媒体支持部１３を有さない構成でもよい。本実施例において、第２媒体支持部１３を設けたのは、大きさサイズの媒体に対する記録にも対応するためである。
【００１７】
また、送り手段３は、解かれたロール媒体Ｒを送り方向上流側および下流側へ送ることができるように設けられている。本実施では、一例として、第１ローラー対４と、第２ローラー対５とを有している。このうち、第１ローラー対４は、通常の記録時のおける記録ヘッド１１より上流側に設けられている。一方、第２ローラー対５は、通常の記録時における記録ヘッド１１より下流側に設けられている。そして、少なくとも第１ローラー対４は、駆動モーターＭの動力によって駆動することができるように設けられている。
【００１８】
また、媒体検出手段１６は、通常の記録時における記録ヘッド１１の上流側に設けられ、媒体（Ｒ）の有無を検出することができるように構成されている。具体的には、光学式のセンサー１７である。  
またさらに、制御部１８は、キャリッジ１０、記録ヘッド１１、送り手段３等を制御することができるように構成されている。
【００１９】
また、本実施例では、第１排出スタッカー２０と、第２排出スタッカー２１とを有している。このうち、第１排出スタッカー２０は、通常の記録時における第２媒体支持部１３より下流側に設けられている。そして、通常の記録時において、記録されたロール媒体Ｒを載置することができるように設けられている。  
一方、第２排出スタッカー２１は、詳しくは後述するように、ロール媒体Ｒをロールホルダー２から記録部９へ案内する第１送り経路６から分岐するように設けられた第２送り経路７の出口に設けられている。  
本実施例では、記録データの記録を実行する通常の「記録モード」と、記録を実行せずに用紙を短冊形Ｔに切る「廃棄モード」とを有している。尚、「記録モード」には、縁有り記録モード、縁無し記録モード、片面記録モード、両面記録モード等が含まれるものとする。
【００２０】
続いて、通常の記録時の「記録モード」について説明する。  
先ず、ロール媒体Ｒがロールホルダー２にセットされる。そして、ロール媒体Ｒの先端側が解かれて、ロール媒体Ｒの先端が、記録部９まで送られる。この際、媒体検出手段１６であるセンサー１７がロール媒体Ｒの先端を検出するので、ロール媒体Ｒの先端を精度よく記録ヘッド１１と対向する位置まで送ることができる。  
尚、ロール媒体Ｒの先端は、第２送り経路７に進入せず、記録部９まで案内されるものとする。例えば、モードの切換に応じて揺動可能なフラップを第２送り経路７の入り口（分岐箇所）近傍に設けてもよい。「記録モード」のときは、フラップが第２送り経路７の入り口を塞ぎ、「廃棄モード」のときは、第２送り経路７の入り口を塞がないように構成すればよい。
【００２１】
制御部１８は、記録実行の指令があった際、記録データに基づいて記録を実行する。具体的には、送り手段３によってロール媒体ＲをＹ軸の矢印方向へ送りながら、記録部９によって記録を実行する。そして、所望の長さとなるようにカッター部８でロール媒体Ｒを切断する。切断してからさらに記録を実行することにより、所謂、縁無し記録（印刷）を実行することができる。
【００２２】
さらに、送り手段３によって切断されたロール媒体Ｒが第１排出スタッカー２０へ排出される。尚、記録が終了した際に記録した箇所と後端との間に余白を空けてカッター８でロール媒体Ｒを切断してもよい。  
尚、Ｘ軸方向は、ロール媒体Ｒの幅方向である。また、Ｙ軸の矢印方向は、通常の記録時の送り方向である。またさらに、Ｚ軸方向は、ロール媒体Ｒと記録ヘッド１１とが対向する方向である。また、鉛直方向でもある。
【００２３】
また、本実施例では、送り方向Ｙにおけるカッター部８と記録部９との間において、第２送り経路７が設けられている。またさらに、第２送り経路７の出口には、前述したように第２排出スタッカー２１が設けられている。また、第２排出スタッカー２１の直ぐ隣りには、シュレッダー装置１４が設けられている。  
本実施例において、第２送り経路７および第２排出スタッカー２１は、「廃棄モード」が選択された際に用いられるように構成されている。
【００２４】
続いて、「廃棄モード」について説明する。  
図２に示すのは、本実施例の廃棄モードにおけるプリンター１の概略を示す側面図である。また、図３に示すのは、本実施例の廃棄モードにおける切断の様子を示す概略平面図である。  
図２に示す如く、「廃棄モード」が選択されると、制御部１８は、記録を実行せずに廃棄される媒体Ｓを送り手段３によって送りながら、カッター部８によって一の媒体Ｓを複数の短冊形Ｔに切断するように制御する。ここで、「廃棄モード」の選択の仕方は、プリンター１の外面に設けられた図示しないボタンを押すことにより選択する構成でもよいし、プリンター１と接続されたパーソナルコンピューターで選択する構成でもよい。
【００２５】
「廃棄モード」は、既に記録された媒体Ｓが所望の品質を満たしていない等の理由により、ユーザーが廃棄すべきと判断した場合に、ユーザーによって選択される。そして、「廃棄モード」が選択された場合、ユーザーは、第１送り経路６におけるＹ軸の矢印方向上流側から廃棄すべき媒体Ｓをセットする。そして、廃棄すべき媒体Ｓは第１ローラー対４によってＹ軸の矢印方向へ送られる。
【００２６】
この際、図３に示す如く、カッター部８が幅方向Ｘへ移動することによって、一の廃棄すべき媒体Ｓが複数の短冊形Ｔに切断される。ここで、短冊形Ｔの媒体Ｓの短辺Ｗ１の長さが２４０ｍｍ以下となるように切られることが望ましい。この理由は、通常、シュレッダー装置１４は幅２１０ｍｍのＡ４サイズに対応するべく、投入口の幅が２４０ｍｍとなっているからである。
【００２７】
そして、図２に示す如く、カッター部８によって短冊形Ｔに切られた媒体Ｓは、第２送り経路７内に落下して第２排出スタッカー２１に排出される。ここで、短冊形Ｔに切られた媒体Ｓは、記録部９を通過しない構成である。従って、カッター部８によって切られた際に生じる粉状物（媒体Ｓが紙である場合は紙粉）が記録ヘッド１１のヘッド面に付着する虞がない。
【００２８】
続いて、ユーザーは、第２排出スタッカー２１に排出された短冊形Ｔの媒体Ｓをシュレッダー装置１４に投入する。この際、前述したように、短冊形Ｔの媒体Ｓの短辺Ｗ１の長さは、シュレッダー装置１４の投入口の幅以下である。従って、ユーザーは、短冊形Ｔの媒体Ｓを折り曲げずにそのまま容易に投入することができる。これにより、短冊形Ｔの媒体Ｓをより細かく切断することができる。つまり、完全に廃棄することができる。
【００２９】
尚、技術的思想としては、「廃棄モード」によって、シュレッダー装置１４でより細かく切断する必要がない程度に、カッター部８で細かく切断する構成としてもよい。本実施例において、短冊形Ｔの媒体Ｓの短辺Ｗ１の長さが２４０ｍｍ以下であって、シュレッダー装置１４の投入口に投入しやすい大きさに切断する構成としたのは、カッター部８の刃の摩耗を最小に留めるためである。  
また、本実施例において、短冊形Ｔに切られた媒体Ｓが第２排出スタッカー２１に排出される構成としたが、第２送り経路７から直接、シュレッダー装置１４の投入口に投入される構成としてもよい。係る場合、ユーザーの手間を省くことができ有効である。
【００３０】
本実施例の記録装置であるプリンター１は、媒体の一例であるロール媒体Ｒを送り方向Ｙへ送る送り手段３と、送り手段３によって送られるロール媒体Ｒに対して記録可能な記録部９と、送り手段３によって送られるロール媒体Ｒを切ることが可能なカッター部８と、を備え、記録を実行せずに、送り手段３の第１ローラー対４によって送られる一の媒体である廃棄する媒体Ｓを、カッター部８によって複数の短冊形Ｔに切るモードである「廃棄モード」を有する構成であることを特徴とする。
【００３１】
また、本実施例において、短冊形Ｔにおけるいずれかの一辺である短辺Ｗ１は、２４０ｍｍ以下であることを特徴とする。  
またさらに、本実施例において、「廃棄モード」の送り方向Ｙにおけるカッター部８より下流側には、短冊形Ｔに切られた媒体Ｓが落下する経路である第２送り経路７の入り口が設けられていることを特徴とする。  
また、本実施例において、第２送り経路７の入り口は、カッター部８と記録部９との間にあることを特徴とする。
【００３２】
［他の実施例１］
図４に示すのは、他の実施例１の切断の様子を示す概略平面図である。  
図４に示す如く、「廃棄モード」において廃棄される媒体Ｓの送り方向Ｙに対する幅方向Ｘのサイズがわかっていれば、一の媒体Ｓを送り方向Ｙに切断して複数の短冊形Ｔにしてもよい。例えば、ユーザーが廃棄される媒体Ｓを見て、プリンター１の外装に設けられたボタン（図示せず）で前記サイズを選択するように構成してもよい。
【００３３】
係る場合も前述した実施例と同様、短冊形Ｔの短辺Ｗ２の長さが２４０ｍｍ以下となるように切断することが望ましい。廃棄される媒体Ｓの送り方向Ｙに対する幅方向Ｘのサイズが４８０ｍｍ以下であれば、一のカッター部３０によって中央を切断することにより、短冊形Ｔの短辺Ｗ２の長さが２４０ｍｍ以下となる。  
尚、他の実施例１のカッター部３０は、刃の向きをＸ軸の矢印方向からＹ軸の矢印と逆方向へ変えることができるものとする。例えば、図示しないアクチュエーターによって変えることができる。
【００３４】
他の実施例１では、前述した実施例と比較して短冊形Ｔの媒体Ｓの数を少なくし、その分、短冊形Ｔの長辺の長さを長くすることができる。従って、第２排出スタッカー２１に排出された短冊形Ｔの媒体Ｓをシュレッダー装置１４に投入する回数を減らすことができる。その結果、ユーザーの手間を減らすことができ有効である。  
尚、特に説明しない部材については、前述した実施例と同様であるので、同じ符号を用いることとし、その説明は省略する。
【００３５】
［他の実施例２］
図５（Ａ）（Ｂ）に示すのは、他の実施例２のカッター部４０のカッターを示す概略斜視図である。このうち、図５（Ａ）は第１丸刃カッター対４２である。一方、図５（Ｂ）は第２丸刃カッター対４４である。  
図５（Ａ）（Ｂ）に示す如く、他の実施例２のカッター部４０は、詳しい図示は省略するが、第１カッターキャリッジ４１と、第２カッターキャリッジ４３とを有している。
【００３６】
第１カッターキャリッジ４１と、第２カッターキャリッジ４３とは、それぞれ独立に幅方向Ｘへ移動可能に構成されている。移動する構成は、例えば、特開２０１０−１４９２４２に示す構成を用いることができる。  
他の実施例２では、前述した通常の「記録モード」の場合、第１丸刃カッター対４２が選択される。そして、第１丸刃カッター対４２によってロール媒体Ｒが切断される。第１丸刃カッター対４２によって切断されると、ロール媒体Ｒにおける切断線Ｅ１は、直線となる。従って、きれいに切断することができる。
【００３７】
一方、前述した「廃棄モード」の場合、第２丸刃カッター対４４が選択される。ここで、第２丸刃カッター対４４の刃先は、Ｙ軸方向に振幅を有するように形成されている。従って、第２丸刃カッター対４４によって切断されると、廃棄される媒体Ｓにおける切断線Ｅ２は、Ｙ軸方向に波打つようなジグザグとなる。その結果、仮に第三者が切断された媒体Ｓを繋ぎ合わせようとした場合であっても、繋ぎ合わせることを非常に困難にすることができ有効である。また、「廃棄モード」で媒体Ｓを切った場合であっても、通常の「記録モード」で使用される第１丸刃カッター対４２の切れ味が落ちる虞がない。  
尚、特に説明しない部材については、前述した実施例と同様であるので、同じ符号を用いることとし、その説明は省略する。
【００３８】
他の実施例２において、カッター部４０は、媒体Ｒを切った際の切断線Ｅ１が直線となる第１カッターである第１丸刃カッター対４２と、切断線Ｅ２がジグザグ状となる第２カッターである第２丸刃カッター対４４とを有しており、「廃棄モード」では、第２丸刃カッター対４４を用いて媒体Ｓを切る構成であることを特徴とする。
【００３９】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００４０】
１  プリンター、２  ロールホルダー、３  送り手段、４  第１ローラー対、
５  第２ローラー対、６  第１送り経路、７  第２送り経路、８  カッター部、
９  記録部、１０  キャリッジ、１１  記録ヘッド、１２  第１媒体支持部、
１３  第２媒体支持部、１４  シュレッダー装置、１６  媒体検出手段、
１７  センサー、１８  制御部、２０  第１排出スタッカー、
２１  第２排出スタッカー、３０  （他の実施例１の）カッター部、
４０  （他の実施例２の）カッター部、４１  第１カッターキャリッジ、
４２  第１丸刃カッター対、４３  第２カッターキャリッジ、
４４  第２丸刃カッター対、Ｅ１  切断線、Ｅ２  切断線、Ｍ  駆動モーター、
Ｒ  ロール媒体、Ｓ  廃棄する媒体、Ｔ  短冊形、Ｗ１  短辺、Ｗ２  短辺、
Ｘ  幅方向、Ｙ  （通常の記録時の）送り方向、
Ｚ  媒体と記録ヘッドとが対向する方向（鉛直方向）
【図１】
2012240365.tif 000003
【図２】
2012240365.tif 000004
【図３】
2012240365.tif 000005
【図４】
2012240365.tif 000006
【図５】
2012240365.tif 000007